(57)【要約】【課題】  引戸本体等から露出することなく、通行を邪魔したり意匠性を損ねたりすることのないロック機構を具備した引戸装置を提供する。【解決手段】  上レール２と、当該上レール２内を走行するガイドローラ３を上端に取り付けた引戸本体１とを備えた引戸装置であって、引戸本体１は、ガイドローラ３を走行方向と直交する方向に回転させる回転機構４を引戸本体１内に有しており、上レール２は、引戸本体１の回転機構４により回転させられた状態のガイドローラ３を保止する保止突起５を上レール２内に有しており、引戸本体１を閉じた際に、ガイドローラ３が上レール２内にて回転機構４により走行方向と直交する方向に回転させられるとともに保止突起５により保止される。【選択図】図１
2006090063.tif 000002
【特許請求の範囲】
【請求項１】
上レールと、当該上レール内を走行するガイドローラを上端に取り付けた引戸本体とを備えた引戸装置であって、
引戸本体は、ガイドローラを走行方向と直交する方向に回転させる回転機構を引戸本体内に有しており、
上レールは、引戸本体の回転機構により回転させられた状態のガイドローラを保止する保止突起を上レール内に有しており、
引戸本体を閉じた際に、ガイドローラが上レール内にて回転機構により走行方向と直交する方向に回転させられるとともに保止突起により保止されることを特徴とする引戸装置。
【請求項２】
引戸本体の回転機構は、ガイドローラと引戸本体とを繋ぐローラ支持脚を回転させることでガイドローラ自体を回転させることを特徴とする請求項１記載の引戸装置。
【発明の詳細な説明】
【技術分野】
【０００１】
本願発明は、天井面や壁面、開口枠等に設けられた上レール内をガイドローラが走行して開閉移動する引戸装置に関するものである。
【背景技術】
【０００２】
上記引戸装置については、閉状態の引戸本体をロックするために鎌鍵等のロック機構を設けることがあり、この場合、引戸本体およびそれに近接する枠材や壁材等にロック機構を設けることがしばしば行われていた。たとえば図３及び図４は、壁１０の開口部よりも外側に位置するように設けるいわゆるアウトセット引戸におけるロック機構を例示したものであり、引戸本体１および壁１０や開口枠２０に錠部材や錠受け部材を設け、鍵部材を突出させて鍵受け部材に引っ掛けたり嵌合させたりして、引戸本体１を閉じた際にロックできるようにしている。
【特許文献１】特開２００２−２７６２４０号公報
【発明の開示】
【発明が解決しようとする課題】
【０００３】
しかしながら、従来の引戸装置におけるロック機構は、図３及び図４に例示したように、引戸本体１や壁１０、開口枠２０等から露出しているため、通行の邪魔になったり、意匠性を損ねたりする恐れがあった。
【０００４】
特に、近年のリフォーム需要の高まりに伴い、開き戸から引戸へ取り替える際に上記アウトセット引戸を採用することがあるが、後付けのロック機構が露出することは避けられないでいた。
【０００５】
なお、このことを考慮して、特許文献１に記載されているように、上レールとガイドローラに対して外部から見えないようにロック機構を施すことも考えられるが、ガイドローラにバネやそれらを関連付ける複雑構造を設ける必要があり、通常狭い上レール内の走行空間を走る小型なガイドローラに対してこのような煩雑な加工を施すのはあまり好ましくないとも言える。
【０００６】
そこで、以上のとおりの事情に鑑み、本願発明は、ガイドローラそのものを加工せずに、引戸本体１等から露出することなく、通行を邪魔したり意匠性を損ねたりすることのないロック機構を具備した引戸装置を提供することを課題としている。
【課題を解決するための手段】
【０００７】
本願発明は、上記の課題を解決するものとして、第１には、上レールと、当該上レール内を走行するガイドローラを上端に取り付けた引戸本体とを備えた引戸装置であって、引戸本体は、ガイドローラを走行方向と直交する方向に回転させる回転機構を引戸本体内に有しており、上レールは、引戸本体の回転機構により回転させられた状態のガイドローラを保止する保止突起を上レール内に有しており、引戸本体を閉じた際に、ガイドローラが上レール内にて回転機構により走行方向と直交する方向に回転させられるとともに保止突起により保止されることを特徴とする。
【０００８】
また第２には、前記引戸本体の回転機構は、ガイドローラと引戸本体とを繋ぐローラ支持脚を回転させることでガイドローラ自体を回転させることを特徴とする。
【発明の効果】
【０００９】
上記第１の発明によれば、引戸本体を閉じた際にガイドローラを回転機構により回転させて且つその回転状態を保止突起により保止することで、簡単に閉状態の引戸本体をロックすることができ、しかもそれら回転機構および保止突起はいずれも外部に露出することがないため、引戸全体の意匠性を損ねることのない、また通行の邪魔となることもないロック機構を具備した引戸装置が実現される。
【００１０】
上記第２の発明によれば、上記第１の発明と同様な効果が得られ、またガイドローラの回転にはガイドローラと引戸本体との間に伸びたローラ支持脚を回転させるだけでよいため、ガイドローラ自体の加工は不要であり、またもちろんローラ支持脚を回転させる回転機構は引戸本体からは露出せず、より良好なロック機構を具備した引戸装置が実現される。
【発明を実施するための最良の形態】
【００１１】
図１（ａ）（ｂ）及び図２は、各々、本願発明の一実施形態を示したものである。
【００１２】
この実施形態において、まず、引戸本体１には、上レール２内を走るガイドローラ３をその走行方向に対して直交する方向に回転させる回転機構４が組み込まれている。この回転機構４は、ガイドローラ３と引戸本体１とを繋いでいるローラ支持脚６を回転することで、ガイドローラ３自体を回転させることが可能なものとなっている。
【００１３】
より具体的には、ローラ支持脚６に回転力を与える回転ギア４１，４２と、回転ギア４１，４２を回転させる回転操作軸４３と、回転操作軸４３を操作する回転操作部４４が設けられており、回転操作部４４を人が操作することで生まれる回転操作軸４３の動きが、回転ギア４１，４２を介してローラ支持脚６に回転力として伝わり、ローラ支持脚６が回転して、これに固定されているガイドローラ３が上レール２内にて回転する。
【００１４】
回転操作部４４は、人が操作するので僅かに外に露出することになるが、本実施形態では引戸本体１の引き手１１に設けられており、引戸全体の意匠性が損なわれることはなく、また引き手１１とも連動しているので、手元の操作で回転させてロックを掛けることが可能である。もちろん引き手１１以外の部分に意匠性を損ねないように別途設けることもできる。回転操作軸４３は、回転操作部４４により操作されて上下動するよう引戸本体１内に設けられている。回転ギア４１，４２は、回転操作軸４３の上下動が伝わってそれをローラ支持脚６への回転力に変換するよう引戸本体１内に設けられている。ローラ支持脚６は、上レール２内のガイドローラ３から引戸本体１内まで伸びており、引戸本体１内に隠れている部分にて回転ギア４１，４２と回転力が伝わるよう連結されている。
【００１５】
これにより、これら回転ギア４１，４２と回転操作軸４３と回転操作部４４とを持つ回転機構４は、引戸全体の意匠性を損ねることなく、ガイドローラ３を上レール２内にて回転させることができる。
【００１６】
一方、上レール２内には、上記のとおりに回転機構４により回転させられたガイドローラ３をその回転状態にて保止する保止突起５が設けられている。より具体的には、回転後のガイドローラ３は走行方向と直交する向きになっているので、そのままでも上レール２に沿って動くことはできないのであるが、引戸本体１に何等かの力が加わって動いてしまうことも考えられるため、保止突起５を上レール２内に設けている。この保止突起５は、ガイドローラ３を回転時の位置にて回転状態のまま保止することができれば、特に形状や位置は限定されない。図１（ａ）（ｂ）及び図２では、保止できる形状の突起物として、上レール２内の上面に設けられている。
【００１７】
そして、以上の回転機構４および保止突起５とからなるロック機構によれば、引戸本体１を閉じた際に、回転機構４によりガイドローラ３が走行方向と直交する方向に回転させられ、且つ保止突起５によりその回転状態が保止されて、容易に且つ確実に引戸本体１をロックできるようになる。もちろん意匠性を損ねたり、通行の邪魔になったりすることもない。
【００１８】
なお、前記特許文献１においては、上レールとガイドローラに対して施されたロック機構が記載されているが、ガイドローラを回転させるといった技術思想は全くなく、その代わりにガイドローラ自体を加工する必要があるなど、上記実施形態に示される本願発明の引戸装置が具備するロック機構とは全く別異のものである。
【図面の簡単な説明】
【００１９】
【図１】（ａ）（ｂ）は、各々、本願発明の一実施形態を示した内部透視正面図。
【図２】図１の実施形態を示した概略側面図。
【図３】アウトセット引戸における従来のロック機構を例示した概略平面図。
【図４】アウトセット引戸における従来のロック機構を例示した概略平面図。
【符号の説明】
【００２０】
１  引戸本体
１１  引き手
２  上レール
３  ガイドローラ
４  回転機構
４１，４２  回転ギア
４３  回転操作軸
４４  回転操作部
５  保止突起
６  ローラ支持脚
１０  壁
２０  開口枠
【図１】
2006090063.tif 000003
【図２】
2006090063.tif 000004
【図３】
2006090063.tif 000005
【図４】
2006090063.tif 000006